(57)【特許請求の範囲】
【請求項１】
建物の高所に取付けられるスタンドと、
前記スタンドに支持され送風ファン及びモータを備える扇風機本体と、
前記スタンドに設置され前記モータの電気回路の接点を切換えて該モータの運転、停止及び風量切換を行うスイッチと、
基端部が前記スタンドに固定され、引き紐を通す孔が設けられた先端部が水平方向に突出するアームと、
スライドベースと該スライドベース内に回動自在に嵌合されたノブとを有し、前記スライドベースが前記アームに摺動可能に係合すると共に前記スイッチの操作レバーに接続された引き紐長さ調節装置と、
ツマミが接続された先端部が前記アームの先端部の孔を通して下方へ垂れ下がり、基端部が前記ノブの引き紐巻取り部に巻き取られ、前記ツマミを下方へ引くことにより前記引き紐長さ調節装置を前記アーム上で摺動させ前記操作レバーを引っ張って前記スイッチを操作する引き紐と、
を備え、
前記ノブの引き紐巻取り部は、前記ツマミが前記アームの先端部に当たるまで前記引き紐を巻き上げることができることを特徴とする高所取付用扇風機。
【請求項２】
前記引き紐長さ調節装置は、前記引き紐の長さを段階的に調整することを特徴とする請求項１に記載の高所取付用扇風機。
【発明の詳細な説明】
【技術分野】
【０００１】
本発明は、天井や壁等に取付けられる高所取付用扇風機に関するものである。
【背景技術】
【０００２】
一般に、高所取付用扇風機は、壁等に取付けられる別体のコントローラーにより、個別又は複数同時に制御されている。これとは別に、扇風機本体に風量を切換えるプルスイッチを設置し、その操作レバーに接続された引き紐を引くことにより、スイッチの接点が次々と切換わり、風量切換えや電源の入、切がなされる高所取付用扇風機がある。近年、省エネの観点から、こまめに個別に入、切りができるこのような形態の扇風機が見直されている。
【０００３】
このような形態の高所取付用扇風機として、従来、室内側と室外側を開口した枠状で室外側に開閉シャッターを設け、内部に羽根を固着したモータを設けた扇風機本体と、この扇風機本体に設けられ前記モータの電気回路を開閉するスイッチ部と、このスイッチ部を操作する操作部とを備え、前記スイッチ部と操作部とからなる運転・停止手段を構成し、前記運転・停止の操作部を、前記スイッチの取り付け位置を変えることなく、前記換気扇本体の室内側の左右どちら側でも操作できる構成とした換気扇がある（例えば、特許文献１参照）。
【０００４】
【特許文献１】特開平１１−１７３６１２号公報
【発明の開示】
【発明が解決しようとする課題】
【０００５】
高所取付用扇風機は、設置される建物の天井高さによって引き紐のツマミ高さが変わってしまう。使い勝手を良くするために、引き紐の長さを調節してツマミ高さを調整する必要があるが、従来の高所取付用扇風機は、引き紐が直接切換スイッチに接続されているため、ツマミ高さを調整するためには、紐を適当な長さのものに交換するか、紐の中間で結びを作り長さを調節するしかない。そのため、コスト、手間、見栄えの悪化等の問題があった。また、冬場等のオフシーズンには、引き紐が邪魔にならないように、紐を天井付近で束ねなければならない、という問題があった。
【０００６】
本発明は、上記に鑑みてなされたものであって、オールシーズンに亘り、引き紐のツマミ高さを容易に調整することができる高所取付用扇風機を得ることを目的とする。
【課題を解決するための手段】
【０００７】
上述した課題を解決し、目的を達成するために、本発明は、建物の高所に取付けられるスタンドと、前記スタンドに支持され送風ファン及びモータを備える扇風機本体と、前記スタンドに設置され前記モータの電気回路の接点を切換えて該モータの運転、停止及び風量切換を行うスイッチと、基端部が前記スタンドに固定され、引き紐を通す孔が設けられた先端部が水平方向に突出するアームと、スライドベースと該スライドベース内に回動自在に嵌合されたノブとを有し、前記スライドベースが前記アームに摺動可能に係合すると共に前記スイッチの操作レバーに接続された引き紐長さ調節装置と、ツマミが接続された先端部が前記アームの先端部の孔を通して下方へ垂れ下がり、基端部が前記ノブの引き紐巻取り部に巻き取られ、前記ツマミを下方へ引くことにより前記引き紐長さ調節装置を前記アーム上で摺動させ前記操作レバーを引っ張って前記スイッチを操作する引き紐と、を備え、前記ノブの引き紐巻取り部は、前記ツマミが前記アームの先端部に当たるまで前記引き紐を巻き上げることができることを特徴とする。
【発明の効果】
【０００８】
この発明によれば、引き紐を交換したり、切断したり、中間で結んだりすることなく、引き紐のツマミ高さを容易に調整することが可能であり、天井高さにかかわらず、ツマミ高さを、ユーザーの身丈に合う高さに調整することができる。また、オフシーズンには、天井付近まで引き紐を巻上げることができ、引き紐が邪魔になることはなく、見栄えも良い、という効果を奏する。
【発明を実施するための最良の形態】
【０００９】
以下に、本発明にかかる高所取付用扇風機の実施の形態を図面に基づいて詳細に説明する。なお、この実施の形態によりこの発明が限定されるものではない。
【００１０】
実施の形態
図１は、本発明にかかる高所取付用扇風機の実施の形態を示す全体斜視図であり、図２は、実施の形態の高所取付用扇風機のアーム部を示す上面図であり、図３は、実施の形態の引き紐長さ調節装置を示す上方分解斜視図であり、図４は、実施の形態の引き紐長さ調節装置を示す下方分解斜視図であり、図５は、実施の形態の引き紐長さ調節装置を示す縦断面図であり、図６は、図５のＢ−Ｂ線に沿う断面図である。
【００１１】
図１及び図２に示すように、実施の形態の高所取付用扇風機２０は、建物の高所としての天井に取付けられるスタンド１と、スタンド１に支持され送風ファン８、モータ１３及びファンガード７を備える扇風機本体２１と、スタンド１に設置されモータ１３の電気回路の接点を切換えてモータ１３の運転、停止及び風量切換を行うプルスイッチ３と、プルスイッチ３を操作する引き紐５ａ、５ｂと、引き紐５ａと引き紐５ｂの間に接続された引き紐長さ調節装置４と、を備えている。
【００１２】
扇風機本体２１を２本の支柱により下向きに旋回可能に支持するスタンド１のベース部１ａには、引き紐５ｂを送風ファン８やファンガード７に干渉しないように送風ファン８の側方に垂らすためのアーム２が、その先端部が水平方向に突出するように取付けられている。
【００１３】
プルスイッチ３は、スタンド１のベース部１ａのアーム２基端部近傍に設置されている。プルスイッチ３は、操作レバー３ａを備え、操作レバー３ａには引き紐５ａが接続されている。引き紐５ａを引くと、モータ１３の電気回路の接点が切換えられてモータ１３の運転、停止及び風量切換が行われる。
【００１４】
プルスイッチ３の操作レバー３ａとアーム２上に配置した引き紐長さ調整装置４とは、引き紐５ａにより接続され、引き紐長さ調整装置４とツマミ６の間は、引き紐５ｂにより接続されている。引き紐５ｂは、アーム２の先端部の円孔２ｂから下方へ垂れ下がり、その先端にツマミ６が接続されている。
【００１５】
図３〜図６に示すように、引き紐長さ調整装置４は、概ね、円筒状に形成されたスライドベース９と、スライドベース９内に回動自在に嵌合されるノブ１０と、により構成されている。
【００１６】
ノブ１０は、頭部に設けられた取っ手１０ｅと、取っ手１０ｅの下側に環状溝として形成された引き紐巻取り部１０ｃと、引き紐巻取り部１０ｃに設けられた引き紐接続孔１０ｄと、引き紐巻取り部１０ｃの下側に設けられた四角形の固定ガイド１０ｂと、固定ガイド１０ｂの下方へ延びるシャフト１０ａと、を有している。
【００１７】
スライドベース９は、下部中央に設けられノブ１０のシャフト１０ａが嵌合される円孔９ａと、円筒壁側面に設けられた引き紐貫通孔９ｂと、アーム２の中間部に設けられた長孔２ａに嵌合するスライド溝９ｃと、円筒壁側面の引き紐貫通孔９ｂと対向する部位に設けられた引き紐接続部９ｄと、を有している。
【００１８】
ノブ１０は、シャフト１０ａをスライドベース９の円孔９ａに嵌合し、Ｃリング１１により抜け止めされて、スライドベース９に保持される。図６に示すように、四角形の固定ガイド１０ｂが、スライドベース９に嵌め込まれた２枚の板ばね１２の間に挟持され、ノブ１０は、９０°ずつ段階的に回転する毎に板ばね１２により回り止めされるようになっている。固定ガイド１０ｂを四角形より角数が多い多角形とすれば、９０°より小さい回転角毎に、ノブ１０を段階的に回り止めすることができる。
【００１９】
引き紐５ｂの基端は、スライドベース９の引き紐貫通孔９ｂを通してノブ１０の引き紐接続孔１０ｄに固定されている。取手１０ｅを手で回してノブ１０を回転させれば、引き紐５ｂを引き紐巻取り部１０ｃに巻き取ることができる。引き紐巻取り部１０ｃは、ツマミ６がアーム２の先端部に当たるまで、引き紐５ｂを巻上げることができる。
【００２０】
プルスイッチ３を操作するために、引き紐５ｂを引っ張ったとき、スライドベース９がアーム２上を摺動するように、スライドベース９のスライド溝９ｃが、アーム２の長孔２ａに嵌合されている。長孔２ａの長さは、プルスイッチ３の操作レバー３ａのストロークより長くなっている。
【００２１】
引き紐５ａが、操作レバー３ａとスライドベース９の引き紐接続部９ｄとを接続していて、引き紐５ｂを引っ張ると、引き紐長さ調整装置４は、長孔２ａにガイドされてアーム２上を摺動し、操作レバー３ａを操作することができる。
【００２２】
２枚の板ばね１２によるノブ１０のブレーキ力は、プルスイッチ３の操作力より大きいことは勿論、ユーザーの引張り操作力より大きく設定されていて、巻取られた引き紐５ｂが、ユーザーの引っ張り操作により解けてしまうことはない。
【産業上の利用可能性】
【００２３】
以上のように、本発明にかかる高所取付用扇風機は、一般家庭用、天井取付用、壁取付用及び換気扇に有用である。
【図面の簡単な説明】
【００２４】
【図１】本発明にかかる高所取付用扇風機の実施の形態を示す全体斜視図である。
【図２】実施の形態の高所取付用扇風機のアーム部を示す上面図である。
【図３】実施の形態の高所取付用扇風機の引き紐長さ調節装置を示す上方分解斜視図である。
【図４】実施の形態の引き紐長さ調節装置を示す下方分解斜視図である。
【図５】実施の形態の引き紐長さ調節装置を示す縦断面図である。
【図６】図５のＢ−Ｂ線に沿う断面図である。
【符号の説明】
【００２５】
１  スタンド
１ａ  ベース部
２  アーム
２ａ  長孔
２ｂ  円孔
３  プルスイッチ
３ａ  操作レバー
４  引き紐長さ調節装置
５ａ，５ｂ  引き紐
６  ツマミ
７  ファンガード
８  送風ファン
９  スライドベース
９ａ  円孔
９ｂ  引き紐貫通孔
９ｃ  スライド溝
９ｄ  引き紐接続部
１０  ノブ
１０ａ  シャフト
１０ｂ  固定ガイド
１０ｃ  引き紐巻取り部
１０ｄ  引き紐接続孔
１０ｅ  取っ手
１１  Ｃリング
１２  板ばね
１３  モータ
２０  高所取付用扇風機
２１  扇風機本体
【図１】
0005295634.tif 000002
【図２】
0005295634.tif 000003
【図３】
0005295634.tif 000004
【図４】
0005295634.tif 000005
【図５】
0005295634.tif 000006
【図６】
0005295634.tif 000007